(57)【要約】【課題】２次元バーコードを応用すること。【解決手段】  本発明では、上記課題を達成するために、二次元バーコードが表示されており、前記二次元バーコードで記録されている情報に、トレーディングカードに表示されているキャラクタに関連する情報、或はＵＲＬがが含まれることを特徴とするトレーディングカードとしたものである。  また、本発明では、上記課題を達成するために、二次元バーコードが、パッケージ或はシールに表示されていることを特徴とするクジとしたものである。【選択図】図１
2005111745.tif 000002
【特許請求の範囲】
【請求項１】
二次元バーコードが表示されていることを特徴とするトレーディングカード。
【請求項２】
前記二次元バーコードで記録されている情報に、トレーディングカードに表示されているキャラクタに関連する情報が含まれることを特徴とする請求項１に記載のトレーディングカード。
【請求項３】
前記二次元バーコードで記録されている情報に、サーバにアクセスするための情報が含まれていることを特徴とする請求項１又は２に記載のトレーディングカード。
【請求項４】
前記サーバにアクセスするための情報が、ＵＲＬであることを特徴とする請求項３に記載のトレーディングカード。
【請求項５】
二次元バーコードが表示されていることを特徴とするクジ。
【請求項６】
前記二次元バーコードが、パッケージ或はシールに表示されていることを特徴とする請求項５に記載のクジ。
【発明の詳細な説明】
【技術分野】
【０００１】
本発明は、二次元バーコードを応用する技術に関する。
【背景技術】
【０００２】
従来から、トレーディングカードの中には、キャラクタを絵や写真或は文字で表示し、そのキャラクタの攻撃力や生命力等をバーコードで記録した、バーコードゲーム用カードがある（特許文献１参照）。遊戯者は、それぞれが持つカードをバーコード読み取り装置に読ませることにより勝敗を競い、あたかもキャラクタが闘っているかのような感覚でゲームを楽しむ。
【０００３】
通常、バーコードゲーム用カードに印字されているバーコードは、ＪＡＮコードのような一次元バーコードであるため、記録できる情報量は極めて限られたもの（ＪＡＮコードの場合では、最大１３桁の数字を記録可能）であり、さらに、バーコードゲームを楽しむためには、専用の読取装置が必要であるという問題がある。
【０００４】
バーコードの代わりに、非接触ＩＣタグを用いるトレーディングカードも提案されているされているが、この問題を解決するものでは無い（特許文献２参照）。
【０００５】
ところで、最近、ＪＡＮコードのような一次元バーコードの他に、ＯＲコードのような二次元バーコードで記録されている数字や文字の情報を読み取り、これを表示可能な、バーコード認識機能付カメラ内蔵携帯電話機が市販されている（非特許文献１参照）。以後、携帯電話機と云えば、このバーコード認識機能付カメラ内蔵携帯電話機を意味するものとする。
【０００６】
この携帯電話機は、バーコードで記録されたＵＲＬを読み取って、このＵＲＬで指定されるＷｅｂページを閲覧することも可能である。
【０００７】
そして、ＱＲコードは、最大では数字で約７０００文字、英数字では約４０００文字、漢字では約１８００文字の情報を記録できる。
【特許文献１】実公平７−２５９８８号公報
【特許文献２】特開２００３−２１１８７９号公報
【非特許文献１】“リアルとネットをカメラがつなぐ〜「J-SH09」”、［ZDNet News］、２００３年８月１日、［平成１５年９月２２日検索］、インターネット＜URL：http://www.zdnet.co.jp/mobile/0208/01/n_barcode.html＞
【発明の開示】
【発明が解決しようとする課題】
【０００８】
本発明は斯かる背景技術を鑑みてなされたもので、２次元バーコードを応用することを課題とする。
【課題を解決するための手段】
【０００９】
本発明において上記課題を達成するために、まず請求項１の発明では、二次元バーコードが表示されていることを特徴とするトレーディングカードとしたものである。
【００１０】
また請求項２の発明では、前記二次元バーコードで記録されている情報に、トレーディングカードに表示されているキャラクタに関連する情報が含まれることを特徴とする請求項１に記載のトレーディングカードとしたものである。
【００１１】
また請求項３の発明では、前記二次元バーコードで記録されている情報に、サーバにアクセスするための情報が含まれていることを特徴とする請求項１又は２に記載のトレーディングカードとしたものである。
【００１２】
また請求項４の発明では、前記サーバにアクセスするための情報が、ＵＲＬであることを特徴とする請求項３に記載のトレーディングカードとしたものである。
【００１３】
また請求項５の発明では、二次元バーコードが表示されていることを特徴とするクジとしたものである。
【００１４】
また請求項６の発明では、前記二次元バーコードが、パッケージ或はシールに表示されていることを特徴とする請求項５に記載のクジとしたものである。
【発明の効果】
【００１５】
請求項１に記載の発明は、二次元バーコードで記録される情報を数種類用意することにより、同一デザインのトレーディングカードで異なる情報を付加することができるために、トレーディングカードのバリエーションを拡大でき、トレーディングカードの目的である“収集”の幅を拡大することができるという効果がある。
【００１６】
請求項２に記載の発明は、専用の読取装置を必要とせず、携帯電話機で、バーコードゲームが楽しめ、しかも、キャラクタに関連する情報（キャラクタの攻撃力や生命力等）を豊富に記録できるので、バーコードゲームの楽しみ方が広がるという効果がある。
【００１７】
請求項３に記載の発明は、２次元バーコードを携帯電話機で読み取ることにより、サーバにアクセスできるという効果がある。
【００１８】
請求項４に記載の発明は、２次元バーコードを携帯電話機で読み取ることにより、トレーディングカードを購入した消費者同士のコミュニケーションや、バーコードゲームの付加価値を付けること等を目的とするＷｅｂページに容易にアクセスできるので、トレーディングカードの販売促進の効果を期待できるという効果がある。
【００１９】
請求項５に記載の発明は、２次元バーコードを携帯電話機で読み取ることにより、当たり外れが分かるクジができるという効果がある。
【００２０】
請求項６に記載の発明は、パッケージやシールを、２次元バーコードを携帯電話機で読み取ることにより、当たり外れが分かるクジにして、キャンペーンを実施できるという効果がある。
【発明を実施するための最良の形態】
【００２１】
以下に、本発明の最良の実施形態を幾つか説明する。
＜トレーディングカード＞
まず、本発明のトレーディングカードは、図１に示すように、キャラクタが絵や写真或は文字で表示されており、さらに二次元バーコードも表示されているトレーディングカードである。
【００２２】
図１のトレーディングカードでは、キャラクタとしてライオンが絵と文字で表示されており、二次元バーコード１が、ＱＲコードの形式で表示されている。
【００２３】
トレーディングカードに表示されている二次元バーコードで記録されている情報は、キャラクタに関連する情報を含む。この情報には、例えば、キャラクタの攻撃力や生命力等がある。
【００２４】
トレーディングカードに表示されている二次元バーコードで記録されている情報は、携帯電話機で読み取って表示することが可能である。
【００２５】
トレーディングカードに表示されている二次元バーコードで記録されている情報の中に、ＵＲＬが含まれても良い。この場合、携帯電話機で、この二次元バーコードで記録されている情報を読み取って表示した後に、そのまま、このＵＲＬで指定されるＷｅｂページを閲覧できる。このＷｅｂページは、トレーディングカードを購入した消費者同士のコミュニケーションや、バーコードゲームの付加価値を付けること等を目的とするものである。
【００２６】
図１のトレーディングカードに表示されている二次元バーコード１を、携帯電話機のカメラで撮影して、この携帯電話機で表示したものを、図２の（Ａ）に示す。さらに、（Ａ）に示す二次元バーコード１を携帯電話機で文字に変換して表示したものを、図２の（Ｂ）に示す。
【００２７】
図２の（Ｂ）に示すように、二次元バーコード１で記録されている情報には、カードＮｏ．１６やライオンのように、トレーディングカードに文字で表示されているものもあるが、強暴レベル６やhttp://www.raion.co.jpのように、トレーディングカードに文字で表示されて無いものもある。ここで、強暴レベル６は、ライオンの攻撃力を数値で表したものである。ここで、http://www.raion.co.jpは、ライオンにまつわる話題を提供するＷｅｂページのＵＲＬである。
＜クジ＞
次に、本発明のクジは、パッケージやシールなどに、二次元バーコードを表示したものである。
【００２８】
クジの当たり外れは、携帯電話機で、二次元バーコードを読み取って、二次元バーコードで記録されている情報を表示することにより、知ることができる。
【図面の簡単な説明】
【００２９】
【図１】二次元バーコードを印刷したトレーディングカードの例を示す図。
【図２】（Ａ）は、図１のトレーディングカードに印刷されている二次元バーコード１を携帯電話機のカメラで撮影して携帯電話機で表示したものを示し、（Ｂ）は、（Ａ）に示す二次元バーコード１を携帯電話機で文字に変換して表示したものである。
【符号の説明】
【００３０】
１…二次元バーコード（ＱＲコード）
【図１】
2005111745.tif 000003
【図２】
2005111745.tif 000004